(57)【要約】【課題】    構造が単純で、洗浄が容易であり、製造コストが安価で、種々の棚に設置できる汎用性があり、しかも複数の軟包装物を直列に並べて陳列できる軟包装物自立具を提供する。また、陳列方法を提供する。【解決手段】  下端に安定のための基底面４１を有し、上端に軟包装物を載置して支持するとともに該軟包装物の下端面を押圧する長尺状の畝部４２を有し、該畝部４２が、上に載置支持された軟包装物の下端面を押圧変形させて安定化させて自立させる。【選択図】  図７
2007029203.tif 000002
【特許請求の範囲】
【請求項１】
軟包装物を陳列する際に該軟包装物を自立させる自立具であって、下端に安定のための基底面を有し、上端に軟包装物を載置して支持するとともに該軟包装物の下端面を押圧する長尺状の畝部を有し、該畝部が、上に載置された軟包装物の下端面を押圧変形させて安定化させて自立させることを特徴とする軟包装物自立具。
【請求項２】
該畝部は、基底面から頂点に至るまでの高さが、該軟包装物の縦方向の高さの１／５を超えない高さで形成されている請求項１に記載の軟包装物自立具。
【請求項３】
該畝部は、横幅が、軟包装物の横方向の幅の１／２を超えない幅で形成されている請求項１または請求項２に記載の軟包装物自立具。
【請求項４】
該畝部は、外側に突出する板状片を有しており、該板状片の下面が基底面を形成するとともに上面が軟包装物の下端面を支持する支持面を形成している請求項１ないし請求項３のいずれかに記載の軟包装物自立具。
【請求項５】
該支持面は、自立される軟包装物の側面を介助するガイドが起立形成されている請求項４に記載の軟包装物自立具。
【請求項６】
軟包装物を陳列棚に陳列する方法であって、下端に安定のための基底面を有し上端に軟包装物を載置して支持するとともに該軟包装物の下端面を押圧する長尺状の畝部を有する軟包装物自立具を陳列棚の上に載置し、載置した軟包装物自立具の上に複数の軟包装物を一列状に載置して自立させ、自立させた複数の軟包装物を陳列棚に所望の態様で陳列することを特徴とする、軟包装物の陳列方法。
【発明の詳細な説明】
【技術分野】
【０００１】
本発明は、陳列棚上に商品を自立させ、商品を陳列するために好適な自立具と、この自立具を利用した陳列方法に関するものである。更に詳しくは、ブリスターパックやポリ袋、ガセット袋、三方袋等に入れられた自立が困難なまたは自立が不能な軟包装物を陳列するための軟包装物自立具、そしてそれを利用した軟包装物の陳列方法に関するものである。
【背景技術】
【０００２】
デパートやスーパーマーケット、コンビニエンスストア等においては、売り場には陳列棚が置いてあり、この陳列棚の上に日用品や家庭用品等の各種商品が陳列されて販売されている。
【０００３】
ところが、商品が、ブリスターパックやポリ袋、ガセット袋、三方袋等の比較的軟らかい包装材に充填された商品、すなわち軟包装物である場合には、往々にして、自立が困難であったり、または自立が不可能であることが多い。このような軟包装物を、陳列棚上に直接置いて陳列すると、購買者が手にとって見たりするうちに乱雑になり、商品としての美観を損ねることも多い。このため、このような軟包装物を、陳列棚の上で自立させて陳列することを目的として、種々の軟包装物自立具（以下、「自立具」と記載する場合がある。）が提案されている。
【０００４】
特許文献１には、陳列棚の上に、波形の商品スタンドを二つ設け、この商品スタンドの波型の窪みに、軟包装物を立てかけることにより、軟包装物を自立させて陳列する自立具、が提案されている。
【０００５】
特許文献２には、底板に２条のガイドレールを設け、このガイドレールに商品支持体を遊嵌し、この商品支持体に軟包装物を自立させて陳列する自立具が提案されている。
【０００６】
特許文献３には、基板に回動自在の仕切り板を設け、仕切り板にあわせて複数の商品を直列状に載置する自立具が提案されている。
【０００７】
特許文献４には、厚さ２ｍｍのコート紙を折り曲げてスタンドを形成し、自立できない軟包装物の背もたれとして陳列する自立具が提案されている。
【０００８】
【特許文献１】特開平０７−１６３４４５号公報
【特許文献２】特開２００１−７０１０８号公報
【特許文献３】特開２０００−５１０２１号公報
【特許文献４】実用新案登録第３０８５０６６号公報
【発明の開示】
【発明が解決しようとする課題】
【０００９】
しかしながら、特許文献１〜３の技術においては、いずれも自立具の構造が複雑であり、稼動部分もあるため、使用しているうちに汚れてきたとしても、洗浄することは容易ではなく、また、部品点数が多いため製造コストが大きいという問題がある。
【００１０】
とくに、特定の棚に合致するような構造で設計してしまうと、別の大きさの棚には適用しにくい、など、汎用性という点でも問題があった。
【００１１】
また、特許文献４の技術では、軟包装物を一個ずつ自立することはできても、複数の軟包装物をまとめて直列に、しかも美しく列立することができない。
【００１２】
このように、従来は、構造が単純で、洗浄が容易であり、製造コストが安価で、種々の棚に適用できる汎用性があり、しかも複数の軟包装物を直列に並べて陳列できる軟包装物自立具は存在せず、このような自立具を利用した陳列方法も存在しなかった。
【００１３】
すなわち本発明の目的は、構造が単純で、洗浄が容易であり、製造コストが安価で、種々の棚に設置できる汎用性があり、しかも複数の軟包装物を直列に並べて陳列できる軟包装物自立具を提供することである。
【００１４】
また、本発明の他の目的は、このような軟包装物自立具を利用して、様々な種類の軟包装物を、効果的に目立つように、さらに作業者のセンスにあわせた自由なレイアウトで、自立状態で陳列する方法を提供することである。
【課題を解決するための手段】
【００１５】
前記課題を解決する本発明の第一の発明は、軟包装物を陳列する際に該軟包装物を自立させる自立具であって、下端に安定のための基底面を有し、上端に軟包装物を載置して支持するとともに該軟包装物の下端面を押圧する長尺状の畝部を有し、該畝部が、上に載置された軟包装物の下端面を押圧変形させて安定化させて自立させることを特徴とする軟包装物自立具、である。
【００１６】
この本発明は、該畝部は、基底面から頂点に至るまでの高さが、該軟包装物の縦方向の高さの１／５を超えない高さで形成されていること、該畝部は、横幅が、軟包装物の横方向の幅の１／２を超えない幅で形成されていること、該畝部は、外側に突出する板状片を有しており、該板状片の下面が基底面を形成するとともに上面が軟包装物の下端面を支持する支持面を形成している、および、該支持面は、自立される軟包装物の側面を介助するガイドが起立形成されていること、を望ましい形態としている。
【００１７】
前記課題を解決する本発明の第二の発明は、軟包装物を陳列棚に陳列する方法であって、下端に安定のための基底面を有し上端に軟包装物を載置して支持するとともに、該軟包装物の下端面を押圧する長尺状の畝部を有する軟包装物自立具を陳列棚の上に載置し、載置した軟包装物自立具の上に複数の軟包装物を一列状に載置して自立させ、自立させた複数の軟包装物を陳列棚に所望の態様で陳列することを特徴とする、軟包装物の陳列方法、である。
【発明の効果】
【００１８】
本発明によれば、軟包装物を直列に美しく並べて陳列できるとともに、様々な種類や大きさの陳列棚に自由自在に適用できる汎用性があり、構造が単純で、洗浄が容易であり、製造コストが安価である軟包装物自立具を実現することができる。
【００１９】
また、作業者のセンスにあわせた自由なレイアウトで、軟包装物を自立状態で美しく陳列することができ、しかもその陳列の作業量が軽減化される。
【発明を実施するための最良の形態】
【００２０】
まず、本発明の第一の発明である軟包装物自立具について説明する。
図１２は、軟包装物の一例を示す斜視図である。図１２において、軟包装物１００は、概略、正面１０１、背面１０２と、ガセット面１０３，１０４によって構成されており、正面１０１、背面１０２を形成する二つのシートと、ガセット面１０３,１０４を形成する二つのシートとを各々シールすることにより、断面略長方形に形成されている。
【００２１】
軟包装物１００の上端には、口栓付スパウト１０５が挿入された上で、周囲が完全にシールされており、内容物が密封されている。
【００２２】
このような軟包装物は、正面１０１、背面１０２と、ガセット面１０３，１０４が、軟らかいシートで形成されているため、陳列棚の上で自立させようとしても、変形してしまって自立させることが難しい。
【００２３】
なお、本発明においては、軟包装物は、縦方向の高さＺと、横方向の幅Ｘとを有しているが、この縦方向の高さＺと横方向の幅Ｘとは、自立させる方向を基準として区別される。すなわち、軟包装物を自立させる方向と一致する方向が縦方向であり、それと垂直に交わる方向であって正面１０１または背面１０２と平行の方向を横方向とみなす。
【００２４】
縦方向の高さＺには、スパウトの部分は含まれない。この理由は、本発明はスパウトのない軟包装物にも問題なく適用できるからである。また、縦方向の高さＺの定義は、軟包装物１００の内空間の高さのなかで最も高い値をもって、縦方向の高さＺとする。すなわち、軟包装物１００を縦方向に可及的に伸ばしておいて、その状態で、軟包装物１００の内容物が収納されるべき内空間の、縦方向の最も高い距離を「縦方向の高さＺ」とするのである。なお、同様に、横方向の幅Ｘも、軟包装物において内容物が収納されるべき内空間の最も幅が広い部分の幅とする。これらの高さＺや幅Ｘの定義は、要するに、軟包装物１００におけるシール部の幅を、参酌しないという趣旨になる。
【００２５】
図１は、本発明の軟包装物自立具の第１の実施形態を示す斜視図である。図１において、第１の実施形態に係る自立具１は、全体に長尺状に形成されており、下端に基底面２を有している。この基底面２を下に向けて陳列棚の上面に載置すれば、自立具１全体を安定して陳列棚の上に保持することができる。また、自立具１は、畝部３を有している。畝部３の形状は、軟包装物を載置できる形状であれば、いかなるものでもよい。本発明は、このように極めて単純な構造のものである。
【００２６】
図２は、第１の実施形態の作用を示す斜視図である。陳列棚（図示せず）の上に載置されている自立具１は、この状態で、上に軟包装物１００を載置することができる。この場合、軟包装物１００の横方向（幅Ｘの方向）と自立具１の長手方向とが直交するかたちに配置することが好ましい。軟包装物１００は、畝部３の上に置かれ、この際、畝部３が、軟包装物１００下端面１００ａを押圧するため、軟包装物１００の下端面１００ａは変形する。このように下端面１００ａが変形すると、下端面１００ａの面積が増大する。すると、軟包装物１００自体が安定化し、自立具１の上で自立する。この下端面１００ａの面積の増大は、とくに、畝部３の長手方向の長さｙの方向（軟包装物１００の奥行き方向）に広がるように面積が増大するため、軟包装物１００を安定化させる効果が大きい。
【００２７】
自立具１は長尺状であるため、畝部３には、同様にして複数の軟包装物１００を、長手方向に一列状に列立することが可能である。このように、軟包装物１００を一列状に陳列すると、購買者が、前のほうから軟包装物１００を取っていっても、残りの軟包装物１００は自立した状態を保っており、陳列状態がくずれて美観を損なうことがない。
【００２８】
自立具１は、非常に簡便な構造であるため、製造コストが安価であり、しかも洗浄も容易であり、また、陳列のレイアウトも自由自在である。なによりも、様々な大きさや形状の陳列棚に、まったく自由に使用することができるため、非常に汎用性が高いという利点がある。
【００２９】
この自立具１においては、基底面２から畝部３の頂点３ａに至るまでの高さｚは、軟包装物１００の縦方向の高さＺの１／５を超えない高さであることが好ましい。このように１／５を超えない高さであれば、軟包装物１００を安定して自立することが可能である。なお、１／７〜１／９の範囲の高さであれば、さらに好ましい。
【００３０】
また、自立具１においては、畝部３の横幅ｘ（畝部３の最も幅の広い部分における横幅）は、軟包装物１００の横方向の幅Ｘの１／２を超えない幅であることが好ましい。このように１／２を超えない幅であれば、軟包装物１００を安定して自立することが可能である。なお、１／３〜１／４の範囲の幅であれば、さらに好ましい。
【００３１】
一例として、畝部３の大きさは、高さｚが５〜２０ｍｍの範囲であることが好ましく、とくに１０〜１５ｍｍの範囲であれば、より好ましい。また、畝部３の横幅ｘは、１０〜４０ｍｍの範囲であることが好ましく、とくに２０〜３５ｍｍの範囲であれば、より好ましい。
【００３２】
なお、このような自立具１に最適な軟包装物１００の大きさとしては、高さＺが８０〜３００ｍｍの範囲のものが好ましく、とくに９０〜１１０ｍｍの範囲であれば、より好ましい。また、横幅Ｘが、６０〜１５０ｍｍの範囲であるものが好ましく、とくに７０〜９０ｍｍの範囲、であれば、より好ましい。このような軟包装物１００であれば、本発明の効果を最も享受することができる。
【００３３】
自立具１の長手方向ｙの長さは、軟包装物１００を自立させる個数によって、適宜長さを設定することが可能であるが、陳列棚の上に載置する場合の利便性と、製造コスト、汎用性とを考慮すれば、１０〜４０ｃｍであることが好ましく、とくに２０〜３０ｃｍの範囲であれば、より好ましい。
【００３４】
図３は、本発明の軟包装物自立具の第２の実施形態を示す斜視図である。図３において、第２の実施形態に係る自立具１０は、図１に示す第１の実施態様と同様、下端に基底面１１を有している。また、自立具１０は、断面四角形の畝部１２を有している。このように、断面四角形の畝部１２であれば、軟包装物１００を載置して押圧した際に、軟包装物１００の下端面１００ａを、より広い面積に変形することができるため、好ましい。
【００３５】
図４は、本発明の軟包装物自立具の第３の実施形態を示す斜視図である。図４において、第３の実施形態に係る自立具２０は、図１に示す第１の実施態様と同様、下端に基底面２１を有している。また、自立具２０は、断面半円形の畝部２２を有している。このように、断面半円形の畝部２２であれば、軟包装物１００を載置して下端面１００ａを押圧した際に、下端面１００ａを、より広い面積に変形することができるとともに、鋭利な箇所がないため、軟包装物１００を傷つける可能性が少ないという利点がある。
【００３６】
図５は、本発明の軟包装物自立具の第４の実施形態を示す斜視図である。図５において、第４の実施形態に係る自立具３０は、全体に長尺状に形成されており、断面三角形状の畝部３２が形成されている。この断面三角形状の畝部３２は、中空に作られており、畝部３２の下端は、両外側に突出して板状片３１ｐ，３１ｐが形成されている。
【００３７】
この板状片３１ｐ，３１ｐの下面が、基底面３１，３１を形成する。このように基底面３１，３１のように面積が広いと、自立具３０自体を安定して陳列棚の上に保持することができる。しかしまた、軟包装物１００を畝部３２に載置した際には、板状片３１ｐ，３１ｐの上面３１ａ，３１ａは、畝部３２とともに軟包装物１００の下端面１００ａを支持する支持面としても作用する。この実施形態は、単純な板状部材を折り曲げて加工すれば容易に製造できるため、製造コスト、原料費が格安ですむという利点がある。
【００３８】
図６は、第４の実施形態の作用を示す斜視図である。図６において、自立具３０の畝部３２の上に、軟包装物１００を載置すると、畝部３２によって軟包装物１００の下端面１００ａが押圧変形されて、軟包装物１００は安定して自立される。この際、板状片３１ｐ，３１ｐの上面（支持面）３１ａ，３１ａは、畝部３２と同様に軟包装物１００の下端面１００ａを支持しており、畝部３２とともに、支持面３１ａ，３１ａによっても、軟包装物１００を自立させているのである。
【００３９】
このような形態であれば、軟包装物１００をさらに安定的に自立させることができるとともに、軟包装物１００を自立させて載置させたまま、自立具３０を持ち運ぶことも可能である。この結果、陳列の作業においては、自立具３０の上に軟包装物１００を列立する作業を別な場所で行い、軟包装物１００を列立した状態の自立具３０を、そのまま陳列棚に運んできて棚上に置けば、陳列作業が完了する。このため、低い場所にある陳列棚に陳列することが容易になり、作業員が腰をかがめて作業する必要がなくなり、不自然な体勢で作業する負担が少なく、作業員の保安衛生とともに、陳列作業の効率化をも図ることができる。
【００４０】
図７は、本発明の軟包装物自立具の第５の実施形態を示す斜視図である。図７において、本発明の第５の実施形態に係る自立具４０は、全体に長尺状に形成されており、断面三角形状の畝部４２が形成され、畝部４２の下端から横方向の外側に板状片４１ｐ，４１ｐが突出されており、板状片４１ｐ，４１ｐの下面に基底面４１，４１が形成され、上面に支持面４１ａ，４１ａが形成されている点は、前記の第４の実施形態と同様である。
【００４１】
図７の自立具４０では、支持面４１ａ，４１ａの端部に、ガイド４３，４３が起立形成されている点に特徴がある。このガイド４３，４３は、軟包装物１００が畝部４２に載置され自立された際に、軟包装物１００が、自立具４０の外側に落ちないように防御する作用がある。
【００４２】
なお、図７では、ガイド４３，４３は、垂直方向に起立しているが、これは角度をつけて起立させてもよく、また一体に構成せずに取り外し可能として別体に構成してもよい。さらに、板状に形成する必要はなく、網状などの各種形状で形成することができる。また、起立する場所は支持面４１ａ，４１ａの端部に限られることなく、支持面４１ａ，４１ａの途中の位置に形成することもできる。しかしながら、ガイド４３，４３の間の距離は、軟包装物１００の横幅Ｘに合致する距離（横幅Ｘに若干ゆとりをもたせた距離）であると、より望ましい。そして、両ガイド４３,４３の中間位置に畝部４２とが位置する配置であれば好ましい。
【００４３】
このような形態であれば、軟包装物１００をさらに安定的に自立させることができるとともに、軟包装物１００を自立させて載置させたまま、自立具４０を持ち運ぶ際に、軟包装物１００が落下しにくくなり、持ち運びに便利になる。また、ガイド４３，４３には、軟包装物１００の商品広告や、キャッチフレーズなどを形成したり、印刷したものを貼着することもできる。
【００４４】
図８は、本発明の軟包装物自立具の第６の実施形態を示す斜視図である。図８において、本発明の第６の実施形態に係る自立具５０は、全体に長尺状に形成されており、断面三角形状の畝部５２が形成され、畝部５２の下端から横方向に外側に板状片５１ｐ，５１ｐが突出し、この板状片５１ｐ，５１ｐの下面に基底面５１，５１が形成され、上面に支持面５１ａ，５１ａが形成されている点は、前記の第４の実施形態と同様である。
【００４５】
図８の自立具５０では、畝部５２が、中実に形成されている点に特徴がある。このように畝部５２を中実に形成すれば、自立具５０自体にある程度の重みを持たせ、取り扱いを楽にしたい場合に有効である。また、ねじり方向に対する強度が増すため、より頑丈な自立具とすることができる。
【００４６】
図９は、本発明の軟包装物自立具の第７の実施形態を示す斜視図である。図９において、第７の実施形態に係る自立具６０は、全体に長尺状に形成されており、断面三角形状の畝部６２が形成され、畝部６２の下端から横方向に外側に板状片６１ｐ，６１ｐが突出し、この板状片６１ｐ，６１ｐの下面に基底面６１，６１が形成され、上面に支持面６１ａ，６１ａが形成されている点は、前記の第６の実施形態と同様である。
【００４７】
図９の自立具６０では、前記第５の実施形態と同様に、支持面６１ａ，６１ａの端部に、ガイド６３，６３が起立形成されている。この場合の作用と特有の効果は、前記の第６の実施形態と同様である。
【００４８】
図１０は、本発明の軟包装物自立具の第８の実施形態を示す斜視図である。図１０において、第８の実施形態に係る自立具７０は、全体に長尺状に形成されており、垂直板状の畝部７２が形成されているとともに、畝部７２の下端から横方向に外側に板状片７１ｐ，７１ｐが突出し、全体が断面逆Ｔ字状に形成されている。
【００４９】
この板状片７１ｐ，７１ｐの下面に基底面７１が形成されているが、板状片７１ｐ，７１ｐの突出する長さが短いため、板状片７１ｐ，７１ｐの上面は、軟包装物１００を支持する機能はない。図１０の実施形態８においては、材料費が安価ですみ、自立具７０を比較的軽量にすることができるという利点がある。
【００５０】
図１１は、本発明の軟包装物自立具の第９の実施形態を示す斜視図である。図１１において、第９の実施形態に係る自立具８０は、全体に長尺状に形成されており、垂直板状の畝部８２が形成され、畝部８２の下端から横方向に外側に板状片８１ｐ，８１ｐが突出し、この板状片８１ｐ，８１ｐの下面に基底面８１が形成されている点は、前記の第８の実施形態と同様である。
【００５１】
図１１の自立具８０においては、板状片８１ｐ，８１ｐの突出する長さが、前記第８の実施形態に比して長いため、板状片８１ｐ，８１ｐの上面に、軟包装物１００を支持する支持面８１ａ，８１ａが形成されている。この支持面８１ａ，８１ａの作用は、第４の実施形態と同様である。
【００５２】
以上説明してきたように、本発明の自立具は、いずれも、軟包装物１００を直列に美しく並べて陳列できるとともに、様々な種類、大きさの棚にも自由自在に適用できる汎用性があり、構造が単純で、洗浄が容易であり、製造コストが安価である。また、自立具の正面部分には、別途、立札状の部材等を設置することが可能であり、このような立札状の部材に商品の宣伝やＰＯＰをあしらう態様にしてもよい。
【００５３】
なお、本発明の自立具は、様々な材質で製作することが可能である。例えば、金属、樹脂、紙、ガラス、木材等を材質として使用することができるが、水分に対する耐久性、衛生性、取り扱いのしやすさを考慮すると、金属や樹脂を使用することが望ましい。
【００５４】
金属としては、鉄、ステンレススチール、炭素鋼、アルミニウム、銅、鉛、真鍮、これらを原料とした合金等を例示することができるが、金属を使用する場合は、ステンレススチール、アルミニウムといった、錆にくい特性をもった金属、合金を使用することが好ましい。
【００５５】
樹脂としては、熱可塑性樹脂（ポリエチレン、ポリスチレン、ポリプロピレン、塩化ビニル樹脂、ポリエチレンテレフタレートなど）や、熱硬化性樹脂（フェノール樹脂、アミノ樹脂、不飽和ポリエステル樹脂、エポキシ樹脂など）などの、通常プラスチックと呼ばれている、任意の形に成型できる有機高分子物質を使用することが推奨されるが、加工のしやすさ、入手しやすさから、ポリエチレン、ポリスチレン、ポリプロピレン、塩化ビニル樹脂等を使用することが好ましい。
【００５６】
次に、本発明の第二の発明である陳列方法について説明する。本発明の第二の発明である陳列方法には、前記第一の発明の自立具を使用することができる。すなわち、最初に、陳列棚に、前記第一の発明の自立具を載置する。次いで、このような自立具の上に複数の軟包装物を一列状に自立させる。これによって複数の軟包装物を一列状に陳列することができる。
【００５７】
この場合、自立具は、棚の上に自由なレイアウトで配置することができるため、例えば、複数の自立具を平行に並べ、違う種類の軟包装物を交互に自立させて、あたかもお花畑であるかのように華麗なデザインで陳列棚をコーディネイトすることが可能である。
【００５８】
また、一部の自立具を手前に、一部の自立具を奥まった場所に配置するなど、陳列棚の全体に変化をつけて、購買者の目を楽しませることができる。
【実施例１】
【００５９】
図７に示す構成の自立具４０を作成した。この自立具４０は、厚さ１．５ｍｍの、塩化ビニル樹脂製の板材を折り曲げて加工して形成されており、基底面４１（下面）から畝部４２の頂点にいたるまでの高さは１１ｍｍであり、また畝部４２の横幅は３２ｍｍであった。支持面４１ａの幅は８５ｍｍであり、ガイド４３の高さ（支持面４１ａからの高さ）は３５ｍｍであった。そして、全長（ｙ）は、２４ｃｍであった。  
【実施例２】
【００６０】
コンビニエンスストアを模した陳列棚（横幅９０×奥行き３０ｃｍ）の上に、前記実施例１の自立具４０を、０．５ｃｍ間隔で１０個配置した。軟包装物として、商品名「森永アロエヨーグルトハンディスタイル」（縦方向の高さＺは１００ｍｍ、横方向の幅は８０ｍｍ）を選択した。
【００６１】
この軟包装物を、一つの自立具４０に対して６個を一列に載置し自立させた。
この結果、前記の陳列棚に、合計６０個の軟包装物を、極めて美しく陳列することができた。
【産業上の利用可能性】
【００６２】
本発明は、構造が単純で、洗浄が容易であり、製造コストが安価で、種々の棚に設置できる汎用性があり、しかも複数の軟包装物を一列に並べて陳列できる軟包装物自立具を提供する。また、本発明は、このような軟包装物自立具を利用して、様々な種類の軟包装物を、効果的に、目立つように、さらに作業者のセンスにあわせた自由なレイアウトで、自立状態で陳列することを可能とし、また作業者の作業量も軽減することができる。
【図面の簡単な説明】
【００６３】
【図１】図１は、本発明の軟包装物自立具の第１の実施形態を示す斜視図である。
【図２】図２は、第１の実施形態の作用を示す斜視図である。
【図３】図３は、本発明の軟包装物自立具の第２の実施形態を示す斜視図である。
【図４】図４は、本発明の軟包装物自立具の第３の実施形態を示す斜視図である。
【図５】図５は、本発明の軟包装物自立具の第４の実施形態を示す斜視図である。
【図６】図６は、第４の実施形態の作用を示す斜視図である。
【図７】図７は、本発明の軟包装物自立具の第５の実施形態を示す斜視図である。
【図８】図８は、本発明の軟包装物自立具の第６の実施形態を示す斜視図である。
【図９】図９は、本発明の軟包装物自立具の第７の実施形態を示す斜視図である。
【図１０】図１０は、本発明の軟包装物自立具の第８の実施形態を示す斜視図である。
【図１１】図１１は、本発明の軟包装物自立具の第９の実施形態を示す斜視図である。
【図１２】図１２は、軟包装物の一例を示す斜視図である。
【符号の説明】
【００６４】
１、１０、２０、３０、４０、５０、６０、７０、８０  ・・・  軟包装物自立具
２、１１、２１、３１、４１、５１、６１、７１、８１  ・・・  基底面
３、１２、２２、３２、４２、５２、６２、７２、８２  ・・・  畝部
３１ｐ、４１ｐ、５１ｐ、６１ｐ、７１ｐ、８１ｐ  ・・・  板状片
３１ａ、４１ａ、５１ａ、６１ａ、８１ａ  ・・・  支持面（上面）
４３、６３  ・・・  ガイド
１００  ・・・  軟包装物
Ｘ  ・・・  軟包装物の横方向の幅
Ｚ  ・・・  軟包装物の縦方向の高さ
ｘ  ・・・  畝部の横幅
ｙ  ・・・  畝部の長手方向の長さ
ｚ  ・・・  畝部の高さ（基底面から畝部の頂点に至るまでの高さ）
【図１】
2007029203.tif 000003
【図２】
2007029203.tif 000004
【図３】
2007029203.tif 000005
【図４】
2007029203.tif 000006
【図５】
2007029203.tif 000007
【図６】
2007029203.tif 000008
【図７】
2007029203.tif 000009
【図８】
2007029203.tif 000010
【図９】
2007029203.tif 000011
【図１０】
2007029203.tif 000012
【図１１】
2007029203.tif 000013
【図１２】
2007029203.tif 000014